(57)【要約】      （修正有）【課題】収納時の空間の節約及び蓄冷器の携帯数の増量のために、折りたたみが可能なカートを提供する。【解決手段】折りたたみ式カート１０は左板１１、右板１２、上板１３、下板１４、後ろ板１５、前板１６と四つの車輪１７を組合せ、１つのカート構造となり、各温度の貨物をそれぞれの温度のカート１０で運送する。カート１０には、生鮮食品を保存するための蓄冷器が設置されている。冷気の補充のため、上板１３には上表面１３７と下表面１３８があり、上表面１３７には多数の保温袋１３９がついている。上板１３の下表面１３８にも蓄冷器を有した多数の袋１４０がついている。また、上板１３の上表面１３７の保温袋１３９は蓄冷器の保冷作用があり、随時カート１０内の保冷機能の補助が可能である。カートを構成する左板１１、右板１２等の壁面部は、断熱材を含んで構成され、連結器１６５等により折りたたみあるいは取りはずし可能に組み合わせる。【選択図】図２
0003169059.tif 000002
【実用新案登録請求の範囲】
【請求項１】
左板と、右板と、後ろ板と、上板と、下板と、前板と、第一連結器と、第二連結器と、第三連結器と、第四連結器とを備えた折りたたみ式カートであって、
前記左板は、第一辺と、第二辺と、第三辺と、第四辺とを備え、前記左板の前記第一辺と前記第四辺との接点には第一突っ張りがあり、
前記右板は、第一辺と、第二辺と、第三辺と、第四辺とを備え、前記右板の前記第一辺と前記第四辺との接点には第二突っ張りがあり、
前記後ろ板は、第一辺と、第二辺と、第三辺と、第四辺とを備え、前記後ろ板の前記第一辺は前記左板の前記第二辺と連結され、前記後ろ板の前記第二辺は前記右板の前記第二辺と連結されており、
前記上板は、第一辺と、第二辺と、第三辺と、第四辺とを備え、前記上板の前記第三辺は回れるように前記後ろ板の前記第三辺に設置されており、
前記下板は、第一辺と、第二辺と、第三辺と、第四辺とを備え、前記下板の前記第三辺は回れるように前記後ろ板の前記第四辺に設置されているとともに、前記下板は前記第一突っ張りと前記第二突っ張りとに固定されており、
前記前板は、第一辺と、第二辺と、第三辺と、第四辺とを備え、前記前板は回れるように前記右板の前記第一辺に設置されており、
前記第一連結器は、前記左板の前記第三辺と前記上板の前記第一辺とを連結させ、
前記第二連結器は、前記右板の前記第三辺と前記上板の前記第二辺とを連結させ、
前記第三連結器は、前記右板の前記第一辺と前記前板の前記第一辺とを連結させ、
前記第四連結器は、前記左板の前記第一辺と前記前板の前記第二辺とを連結させることを特徴とする、折りたたみ式カート。
【請求項２】
前記上板は上表面と下表面とを有しており、
前記上表面には複数の保温袋が設置されており、
前記下表面には複数の袋が設置されていることを特徴とする、請求項１に記載の折りたたみ式カート。
【請求項３】
前記袋は網状の袋であることを特徴とする、請求項２に記載の折りたたみ式カート。
【請求項４】
前記保温袋又は前記袋には蓄冷器が設置されていることを特徴とする、請求項３に記載の折りたたみ式カート。
【請求項５】
前記左板と、前記右板と、前記上板と、前記下板と、前記後ろ板と、前記前板にはそれぞれ内壁と外壁とがあり、前記内壁と前記外壁との間に断熱材が設けられていることを特徴とする、請求項１に記載の折りたたみ式カート
【請求項６】
前記左板及び前記右板の底縁には複数の車輪が設置されていることを特徴とする、請求項１に記載の折りたたみ式カート。
【請求項７】
前記第一連結器と前記第二連結器とはマジックバンド（登録商標）になっていることを特徴とする、請求項１に記載の折りたたみ式カート。
【請求項８】
前記第三連結器は蝶番になっていることを特徴とする、請求項１に記載の折りたたみ式カート。
【請求項９】
前記第四連結器は掛け金部品になっていることを特徴とする、請求項１に記載の折りたたみ式カート。
【請求項１０】
前記上板の上表面に結びバンドが設置されていることを特徴とする、請求項１に記載の折りたたみ式カート。
【請求項１１】
前記左板と、前記右板と、前記上板と、前記下板とが開口部を形成しており、
前記前板が回動して前記開口部を封じられるようになっていることを特徴とする、請求項１に記載の折りたたみ式カート。
【請求項１２】
前記上板の上表面にはマジックバンド（登録商標）が設置されており、
前記左板及び前記右板にはマジックバンド（登録商標）が設置されていることを特徴とする、請求項１に記載の折りたたみ式カート。
【請求項１３】
前記上板に少なくとも一つの穴が設けられていることを特徴とする、請求項１に記載の折りたたみ式カート。
【請求項１４】
上表面と下表面とを有する中間板が更に設けられており、
前記中間板の前記上表面には複数の袋が設置されていることを特徴とする、請求項１に記載の折りたたみ式カート。
【請求項１５】
前記袋は網状の袋であることを特徴とする、請求項１４に記載の折りたたみ式カート。
【請求項１６】
前記袋の中に蓄冷器が設置されていることを特徴とする、請求項１５に記載の折りたたみ式カート。
【請求項１７】
前記前板の前記第一辺、前記第二辺、前記第三辺及び前記第四辺の縁にゴム製密封部品が設けられていることを特徴とする、請求項１に記載の折りたたみ式カート。
【請求項１８】
前記後ろ板の前記第四辺と、前記下板の下方に支柱構造が設けられていることを特徴とする、請求項１に記載の折りたたみ式カート。
【考案の詳細な説明】
【技術分野】
【０００１】
本考案は、カート、特に折りたたみ式のカートに関連する。
【背景技術】
【０００２】
デリバリーやネットショッピングが定着していくことで、温度管理の必要な物流、宅配などの成長を促すことになった。配送物には、生鮮食品や冷凍食品、ワクチンなどがあり、とくに生鮮食品やワクチンにはより良い保存方法が必要であった。同空間での各々の製品運送のためには、カートの使用が推奨される。
【考案の概要】
【考案が解決しようとする課題】
【０００３】
従来のカートは大きく収納が不便で、さらに、温度管理の必要のない製品のみ使用可能で、温度管理の必要な食品や薬品に対しては、適切な保存方法がなかった。冷蔵・冷凍が必要な製品であった場合、冷蔵・冷凍車を使用する以外の方法がなく、コストが非常に高くなっていた。
【０００４】
本考案は、このような実状に鑑みてなされたものであり、カートを折りたたみ式にすることで、収納空間の縮小と、蓄冷器の携帯数を増やすことを目的とする。
【課題を解決するための手段】
【０００５】
上記課題を解決するために、本考案は、左板と、右板と、後ろ板と、上板と、下板と、前板と、第一連結器と、第二連結器と、第三連結器と、第四連結器とを備えた折りたたみ式カートであって、前記左板は、第一辺と、第二辺と、第三辺と、第四辺とを備え、前記左板の前記第一辺と前記第四辺との接点には第一突っ張りがあり、前記右板は、第一辺と、第二辺と、第三辺と、第四辺とを備え、前記右板の前記第一辺と前記第四辺との接点には第二突っ張りがあり、前記後ろ板は、第一辺と、第二辺と、第三辺と、第四辺とを備え、前記後ろ板の前記第一辺は前記左板の前記第二辺と連結され、前記後ろ板の前記第二辺は前記右板の前記第二辺と連結されており、前記上板は、第一辺と、第二辺と、第三辺と、第四辺とを備え、前記上板の前記第三辺は回れるように前記後ろ板の前記第三辺に設置されており、前記下板は、第一辺と、第二辺と、第三辺と、第四辺とを備え、前記下板の前記第三辺は回れるように前記後ろ板の前記第四辺に設置されているとともに、前記下板は前記第一突っ張りと前記第二突っ張りとに固定されており、前記前板は、第一辺と、第二辺と、第三辺と、第四辺とを備え、前記前板は回れるように前記右板の前記第一辺に設置されており、前記第一連結器は、前記左板の前記第三辺と前記上板の前記第一辺とを連結させ、前記第二連結器は、前記右板の前記第三辺と前記上板の前記第二辺とを連結させ、前記第三連結器は、前記右板の前記第一辺と前記前板の前記第一辺とを連結させ、前記第四連結器は、前記左板の前記第一辺と前記前板の前記第二辺とを連結させることを特徴とする、折りたたみ式カートを提供する。
【０００６】
また、上板には上表面と下表面があり、上表面には多数の保温袋が設置されている。上板の下表面には多数の袋がついている。本考案に係る折りたたみ式カートは、蓄冷器のための保温袋、袋などが設置されている。
【０００７】
そして、中板がついており、中板にも上表面とした表面があり、上表面には多数の保温袋が設置されている。中板の下表面には多数の袋がついている。
【０００８】
さらに、本考案には支柱構造が設けられており、回転部分が後板の第四辺にあり、下板の下方に設置されている。
【考案の効果】
【０００９】
本考案に係る折りたたみ式カートによれば、折りたたみが可能なことで、収納時の空間の節約及び蓄冷器の携帯数の増量ができる。
【図面の簡単な説明】
【００１０】
【図１】本考案の一実施形態に係る折りたたみ式カートの立体図である。
【図２】同実施形態に係る折りたたみ式カートの立体分解図である。
【図３】同実施形態に係る折りたたみ式カートの立体展開図である。
【図４】同実施形態に係る折りたたみ式カートの折り畳んだ見取り図である。
【図５】同実施形態に係る折りたたみ式カートの掛け金見取り図である。
【図６】同実施形態に係る折りたたみ式カートの前板と右板の連結図である。
【図７】同実施形態に係る折りたたみ式カートの支柱構造図である。
【図８】同実施形態に係る折りたたみ式カートの動作状態図である。
【図９】同実施形態に係る折りたたみ式カートの折り畳んだ見取り図である。
【図１０】同実施形態に係る折りたたみ式カートの断熱構造図である。
【図１１】同実施形態に係る折りたたみ式カートの上板上表面図である。
【図１２】同実施形態に係る折りたたみ式カートの上板下表面図である。
【図１３】同実施形態に係る折りたたみ式カートの上板のもう一つの実施例図である。
【図１４】同実施形態に係る折りたたみ式カートの使用状態図である。
【図１５】同実施形態に係る折りたたみ式カートの保温袋付きの二層構造図である。
【考案を実施するための形態】
【００１１】
以下、本考案の実施形態を、図面を参照して詳細に説明する。図１は本考案の折りたたみ式カートの立体図、図２は立体分解図、図３は立体展開図である。本考案の折りたたみ式カート１０は左板１１、右板１２、上板１３、下板１４、後ろ板１５、前板１６と四つの車輪１７を組合せ、１つのカート構造となり、各温度の貨物をそれぞれの温度のカート１０で運送することで、物流システムに統一性と、利便性を提供することができる。
【００１２】
後ろ板１５は左板１１と右板１２と連結している。具体的な実施例は、左板１１に第一辺１１１、第二辺１１２、第三辺１１３、第四辺１１４がある。右板１２に第一辺１２１、第二辺１２２、第三辺１２３、第四辺１２４がある。後ろ板１５に第一辺１５１、第二辺１５２、第三辺１５３、第四辺１５４がある。後ろ板１５の第一辺１５１は左板１１の第二辺１１２と接し、後ろ板１５の第二辺１５２と右板１２の第二辺１２２と接している。よって、後ろ板１５と左板１１、右板１２は「П」の形になっている。
【００１３】
上板１３に第一辺１３１、第二辺１３２、第三辺１３３、第四辺１３４がある。上板１３の第三辺１３３は回るように後ろ板１５の第三辺１５３に設置している。このように、上板１３が水平になる状態で左板１１と右板１２と連結する時、第一連結器１３５で左板１１の第三辺１１３と上板１３の第一辺１３１を繋げ、第二連結器１３６で右板１２の第三辺１２３と上板１３の第二辺１３２を繋げる。
【００１４】
そして、第一連結器１３５と第二連結器１３６はマジックバンド（登録商標）になる。つまり、上板１３の上表面１３７にはマジックバンド（登録商標）があり、左板１１と右板１２の上部にもマジックバンド（登録商標）があり、それで上板１３と左板１１、右板１２を組合せ、「П」型を形成することができる。
【００１５】
上板１３の第三辺１３３と後ろ板１５の第三辺１５３は連結して蝶番になるので、上板１３は後ろ板１５の第三辺１５３を軸にし、上下に回すことができる。
下板１４は第一辺１４１、第二辺１４２、第三辺１４３と第四辺１４４があり、下板１４の第三辺１４３は回転し、後板１５の第四辺１５４に設置されている。下板１４の第三辺１４３と後板１５の第四辺１５４は連結して蝶番となるので、下板１４は後板１５の第四辺１５４を軸にして、上下に回転できる。
【００１６】
前板１６には第一辺１６１、第二辺１６２、第三辺１６３、第四辺１６４がある。前板１６は回るように右板１２の第一辺１２１に繋がっている。前板１６は第三連結器１６５で前板１６の第一辺１６１と右板１２の第一辺１２１と連結させている。第三連結器１６５は蝶番になっている。前板１６の第一辺１６１、第二辺１６２、第三辺１６３と第四辺１６４の縁にゴム製の密封部品１６６が設置され、それでカート１０は密封できる。
【００１７】
本考案のカート１０には、生鮮食品を保存するための蓄冷器が設置されている。冷気の補充のため、上板１３には上表面１３７と下表面１３８があり、上表面１３７には多数の保温袋１３９がついている。上板１３の下表面１３８にも多数の袋１４０がついている。本考案にはさらに、蓄冷器が袋１４０についており、カート１０内の保冷機能を補充している。その中で、上板１３の下表面１３８の袋１４０は上から下への保冷作用があり、そのため、袋１４０は網状の袋、又は同効果のあるその他袋状となっている。また、上板１３の上表面１３７の保温袋１３９は蓄冷器の保冷作用があり、随時カート１０内の保冷機能の補助が可能である。
【００１８】
本考案のカート１０の底部の左板１１と右板１２の底辺には多数の車輪１７が付いており、カート１０の可動機能を高めている。
【００１９】
図４は本考案の折りたたみ式カートの折りたたみ図である。折りたたみ式カート１０の収納時には、まず上板１３を下に折り、さらに下板１４を上に折り、続いて支柱１８を図7の示すように上に固定する。また、前板１６を開け回転させ、右板１２と合わせ、この時カート１０は「П」型の連結構造となる。そして、図のように「П」型になったカート１０を二つ向かい合わせ収納することで、収納スペースを省くことができる。
【００２０】
図５及び図６を参照しながら説明する。図５及び図６は本考案の折りたたみ式カートの掛け金の見取り図と前板と右板連結見取り図である。左板１１、右板１２、上板１３と下板１４で１６７を形成している。前板１６は回転し、１６７を閉じることができる。また、前板１６は第四連接器１６８を介し、左板１１の第一辺１１１と前板１６の第二辺１６２と連結し、第4連結器１６８を施錠することができる。前板１６がスムーズに１６７上で密閉できるように、左板１１と右板１２の前端部分には、別に第三と第四の支え１６９１、１６９２があり、前板１６の重さを支えることができる。前板１６と右板１２が蝶番１６５で連結することで、前板１６が右板１２を軸として回転することが可能となっている。
【００２１】
図７、図８及び図９を参照しながら説明する。図７、図８及び図９は、本考案の折りたたみ式カートの支柱構造の図、動作状態図と折りたたんだ見取り図である。左板１１の第一辺１１１と第四辺１１４の交わる所に第一突っ張り１１５があり、右板１２の第一辺１２１と第四辺１２４の交わる所に第二突っ張り１２５がある。それにより、下板１４が水平時左板１１と右板１２に連結するとき、下板１４は回転し第一突っ張り１１５と第二突っ張り１２５上に固定することができ、また、貨物の重量により下板１４の上部を固定することができる。もちろん、本考案カート１０の構造をより安定させるため、下板１４を第一突っ張り１１５と第二突っ張り１２５に固定し、掛け金をすることもできる。
【００２２】
本考案のカート１０の底部構造を強化するため、本考案にはさらに後板１５の第四辺１５４に回転する支柱１８が下板１４の下方についている。下板１４と支柱１８は分離しそれぞれ回転可能なため、支柱１８は後板１５と蝶番で連結し、回転が可能となっている。下板１４が水平時左板１１と右板１２を連結し、支柱１８を第一・第二突っ張り１１５、１２５上に回転させることができ、下板１４をさらに支柱１８に動かすことができる。支柱１８は1つの枠組みを構成し、強度を増加することができる。
【００２３】
カート１０を折りたたむときは、まず上板１３を下に折り、さらに下板１４を上に折り、続いて支柱１８を上に折りたたみ、さらに上板１３の上表面１３７についているバンド１８１で支柱１８を固定することで、同時に上板１３を固定することができる。
【００２４】
図１０は本考案の折りたたみ式カートの断熱構造図を参照しながら説明する。左板１１、右板１２、上板１３、下板１４、後板１５、前板１６はそれぞれ内壁１０１と外壁１０３を擁し、内壁１０１と外壁１０３の間に断熱材１０２がある。断熱材１０２はＰＵ、ＰＥ、またはその他の断熱材を使用することができる。
【００２５】
図１１、図１２、図１３及び図１４は、本考案の折りたたみ式カートの上板の上表面の見取り図、上板の下表面の見取り図、上板のもう一つの実施例の見取り図と使用状態図である。本考案の上板１３は上表面１３７と下表面１３８があり、上表面１３７には多数の保温袋１３９があり、下表面１３８には多数の袋１４０がある。保温袋１３９は蓄冷器を設置することができ、保冷し、随時カート１０内の蓄冷器を差し替えることができる。上板１３の下表面１３８周辺にはマジックバンド（登録商標）１３０１が設置されており、上板１３が後板１５のマジックバンド（登録商標）に固定されることで、簡単に密封できる。また、別の例では、上板１３には最低でも1つ、穴１３０２がついており、上板１３を後板１５に容易に掛けることができる。図１４の示すように、上板１３は後板１５上に簡単に付着することができる。
【００２６】
図１５は本考案の折りたたみ式カートの保温袋付き二層構造の見取り図である。本考案の折りたたみ式カートは上板１３の保温袋１３９以外に、中間板１９もある。この中間板１９に上表面１９１と下表面１９２がある、上表面１９１に数多くの袋１９３が設置されている。中間板１９には上表面１９１と下表面１９２があり、上表面１９１には多数の袋１９３がついている。中間板１９の下表面１９２には多数の袋がついている。袋１９３は蓄冷器を装てんすることができ、網状となっている。
【００２７】
以上説明した本考案の折りたたみ式カートは、利便性に富んだ折りたたみ収納が可能で、省スペース、且つ蓄冷器の携帯使用数を増加することが可能で、従来のカートよりも確実に独自性がある。
【符号の説明】
【００２８】
１０…カート
１０１…内壁
１０２…断熱材
１０３…外壁
１１…左板
１１１…第一辺
１１２…第二辺
１１３…第三辺
１１４…第四辺
１１５…第一突っ張り
１２…右板
１２１…第一辺
１２２…第二辺
１２３…第三辺
１２４…第四辺
１２５…第二突っ張り
１３…上板
１３１…第一辺
１３２…第二辺
１３３…第三辺
１３４…第四辺
１３５…第一連結器
１３６…第二連結器
１３７…上表面
１３８…下表面
１３９…保温袋
１４０…袋
１３０１…マジックバンド（登録商標）
１３０２…穴
１４…下板
１４１…第一辺
１４２…第二辺
１４３…第三辺
１４４…第四辺
１５…後板
１５１…第一辺
１５２…第二辺
１５３…第三辺
１５４…第四辺
１６…前板
１６１…第一辺
１６２…第二辺
１６３…第三辺
１６４…第四辺
１６５…第三連結器
１６６…密封部品
１６７…開口
１６８…第四連結器
１６９１…第三突っ張り
１６９２…第四突っ張り
１７…車輪
１８…支柱構造
１８１…結びバンド
１９…中間板
１９１…上表面
１９２…下表面
１９３…袋
【図１】
0003169059.tif 000003
【図２】
0003169059.tif 000004
【図３】
0003169059.tif 000005
【図４】
0003169059.tif 000006
【図５】
0003169059.tif 000007
【図６】
0003169059.tif 000008
【図７】
0003169059.tif 000009
【図８】
0003169059.tif 000010
【図９】
0003169059.tif 000011
【図１０】
0003169059.tif 000012
【図１１】
0003169059.tif 000013
【図１２】
0003169059.tif 000014
【図１３】
0003169059.tif 000015
【図１４】
0003169059.tif 000016
【図１５】
0003169059.tif 000017